(57)【要約】  本発明は、コンテンツ表示方法、コンテンツ表示装置、プログラム及び記録媒体に関し、コンピュータ技術分野に属する。前記コンテンツ表示方法は、装置の画面に目標コンテンツが表示されている状態で、自装置の変位を検出すると、変位の方向を特定するステップと、前記変位の方向に基づいて、前記目標コンテンツを前記画面において並進運動させるステップとを含む。本発明を用いて、操作の柔軟性を向上させることができる。【選択図】        図１
2016539438.tif 000002
【特許請求の範囲】
【請求項１】
装置の画面に目標コンテンツが表示されている状態で、自装置の変位を検出すると、変位の方向を特定するステップと、
前記変位の方向に基づいて、前記目標コンテンツを前記画面において並進運動させるステップと、を含む
ことを特徴とするコンテンツ表示方法。
【請求項２】
装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含み、
前記変位の方向に基づいて、前記目標コンテンツを前記画面において並進運動させるステップは、
前記画面において、前記目標コンテンツを前記第１の方向の反対方向へ並進運動させるステップを含む
ことを特徴とする請求項１に記載の方法。
【請求項３】
さらに、
前記目標コンテンツの前記第１の方向における境界と前記画面の前記第１の方向における境界とが重なることを検出すると、前記目標コンテンツを並進運動させることを停止するステップを含む
ことを特徴とする請求項２に記載の方法。
【請求項４】
前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含み、
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む
ことを特徴とする請求項２に記載の方法。
【請求項５】
装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含み、
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む
ことを特徴とする請求項２に記載の方法。
【請求項６】
画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含み、
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップと、を含む
ことを特徴とする請求項５に記載の方法。
【請求項７】
前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップと、を含む
ことを特徴とする請求項５に記載の方法。
【請求項８】
前記装置の画面に目標コンテンツが表示されている状態で、自装置の変位を検出すると、変位の方向を特定するステップは、さらに、
画面に表示されている前記目標コンテンツの完全な寸法が画面の寸法を超えたことを検出すると、自装置の変位を検出するためのセンサを起動させるステップを含む
ことを特徴とする請求項１に記載の方法。
【請求項９】
装置の画面に目標コンテンツが表示されている状態で、自装置の変位を検出すると、変位の方向を特定するための特定モジュールと、
前記変位の方向に基づいて、前記目標コンテンツを前記画面において並進運動させるための処理モジュールと、を含む
ことを特徴とするコンテンツ表示装置。
【請求項１０】
前記特定モジュールは、
装置の画面に目標コンテンツが表示されている状態で、自装置の変位を検出すると、前記変位の前記画面の位置する平面における成分の方向が第１の方向であると特定し、
前記処理モジュールは、
前記画面において、前記目標コンテンツを前記第１の方向の反対方向へ並進運動させる
ことを特徴とする請求項９に記載の装置。
【請求項１１】
前記処理モジュールは、さらに、
前記目標コンテンツの前記第１の方向における境界と前記画面の前記第１の方向における境界とが重なることを検出すると、前記目標コンテンツを並進運動させることを停止する
ことを特徴とする請求項１０に記載の装置。
【請求項１２】
前記特定モジュールは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定し、
前記処理モジュールは、
前記第１の距離に基づいて、前記画面において、前記目標コンテンツを前記第１の方向の反対方向へ並進運動させる
ことを特徴とする請求項１０に記載の装置。
【請求項１３】
前記特定モジュールは、
画面において目標コンテンツが表示され、且つ、コンテンツ並進運動機能をオンした状態で、自装置の変位を検出すると、前記変位の前記画面の位置する平面における成分の方向が第１の方向であると特定し、
前記特定モジュールは、さらに、
画面において目標コンテンツが表示され、且つ、コンテンツ縮小・拡大機能をオンした状態で、自装置の変位を検出すると、前記変位の画面に垂直する成分の方向が第２の方向であると特定し、
前記処理モジュールは、さらに
前記第２の方向に基づいて、前記目標コンテンツを縮小・拡大して表示する
ことを特徴とする請求項１０に記載の装置。
【請求項１４】
前記特定モジュールは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定し、
前記処理モジュールは、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する
ことを特徴とする請求項１３に記載の装置。
【請求項１５】
前記処理モジュールは、
前記第２の方向が前記画面の正方向であると、前記目標コンテンツを拡大し、
前記第２の方向が前記画面の反対方向であると、前記目標コンテンツを縮小する
ことを特徴とする請求項１３に記載の装置。
【請求項１６】
さらに、
画面に表示されている前記目標コンテンツの完全な寸法が画面の寸法を超えたことを検出すると、自装置の変位を検出するためのセンサを起動させるための起動モジュールを含む
ことを特徴とする請求項９に記載の装置。
【請求項１７】
プロセッサと、
プロセッサにより実行可能な指令を記憶するためのメモリと、を含み、
前記プロセッサは、
装置の画面に目標コンテンツが表示されている状態で、自装置の変位を検出すると、変位の方向を特定し、
前記変位の方向に基づいて、前記目標コンテンツを前記画面において並進運動させる
ことを特徴とするコンテンツ表示装置。
【発明の詳細な説明】
【技術分野】
【０００１】
本願は、出願番号がＣＮ２０１４１０４２９４７１．４であって、出願日が２０１４年８月２７日である中国特許出願に基づき優先権を主張し、当該中国特許出願のすべての内容を本願に援用する。
【０００２】
本発明は、コンピュータ技術分野に関し、特に、コンテンツ表示方法及びコンテンツ表示装置に関する。
【背景技術】
【０００３】
モバイル端末技術の発展に伴い、モバイル端末は、幅広く用いられつつあり、既に日常生活、仕事における最も重要なツールの１つとなっている。ユーザは、よくモバイル端末を用いて、例えば文字、イメージ及びビデオ等各種の情報を閲覧する。
【０００４】
モバイル端末は、イメージを表示する際に、例えば、パノラマ撮影によって撮られた写真、又は、拡大して表示されたイメージ等のイメージの実際の大きさは、画面表示の範囲を超える場合がある。ユーザがこのようなイメージを閲覧する場合、指で画面に対してスライド操作を行うことで、イメージを表示画面において並進運動させことができ、これにより、イメージの異なる部分（領域）を閲覧することができる。
【発明の概要】
【発明が解決しようとする課題】
【０００５】
本発明を実現する過程において、発明者は、従来技術には少なくとも以下の問題点があることを発見した。
【０００６】
イメージを閲覧する場合、ユーザは、指が画面に対するスライド操作でしかイメージの異なる部分を閲覧できず、閲覧方式が複雑であり、操作の柔軟性が悪い。
【課題を解決するための手段】
【０００７】
従来技術に存在する問題を解消するために、本発明は、コンテンツ表示方法及びコンテンツ表示装置を提供する。前記技術方案は、以下のようである。
【０００８】
本発明の実施例の第１の局面によれば、コンテンツ表示方法を提供し、前記コンテンツ表示方法は、
装置の画面に目標コンテンツが表示されている状態で、自装置の変位を検出すると、変位の方向を特定するステップと、
前記変位の方向に基づいて、前記目標コンテンツを前記画面において並進運動させるステップと、を含む。
【０００９】
選択的に、装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含み、
前記変位の方向に基づいて、前記目標コンテンツを前記画面において並進運動させるステップは、
前記画面において、前記目標コンテンツを前記第１の方向の反対方向へ並進運動させるステップを含む。
【００１０】
選択的に、前記コンテンツ表示方法は、さらに、
前記目標コンテンツの前記第１の方向における境界と前記画面の前記第１の方向における境界とが重なることを検出すると、前記目標コンテンツを並進運動させることを停止するステップを含む。
【００１１】
選択的に、前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含み、
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む。
【００１２】
選択的に、装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含み、
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む。
【００１３】
選択的に、画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含み、
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップと、を含む。
【００１４】
選択的に、前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップと、を含む。
【００１５】
選択的に、前記装置の画面に目標コンテンツが表示されている状態で、自装置の変位を検出すると、変位の方向を特定するステップは、さらに、
画面に表示されている前記目標コンテンツの完全な寸法が画面の寸法を超えたことを検出すると、自装置の変位を検出するためのセンサを起動させるステップを含む。
【００１６】
本発明の実施例の第２の局面によれば、コンテンツ表示装置を提供し、前記コンテンツ表示装置は、
装置の画面に目標コンテンツが表示されている状態で、自装置の変位を検出すると、変位の方向を特定するための特定モジュールと、
前記変位の方向に基づいて、前記目標コンテンツを前記画面において並進運動させるための処理モジュールと、を含む。
【００１７】
選択的に、前記特定モジュールは、
装置の画面に目標コンテンツが表示されている状態で、自装置の変位を検出すると、前記変位の前記画面の位置する平面における成分の方向が第１の方向であると特定し、
前記処理モジュールは、
前記画面において、前記目標コンテンツを前記第１の方向の反対方向へ並進運動させる。
【００１８】
選択的に、前記処理モジュールは、さらに、
前記目標コンテンツの前記第１の方向における境界と前記画面の前記第１の方向における境界とが重なることを検出すると、前記目標コンテンツを並進運動させることを停止する。
【００１９】
選択的に、前記特定モジュールは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定し、
前記処理モジュールは、
前記第１の距離に基づいて、前記画面において、前記目標コンテンツを前記第１の方向の反対方向へ並進運動させる。
【００２０】
選択的に、前記特定モジュールは、
画面において目標コンテンツが表示され、且つ、コンテンツ並進運動機能をオンした状態で、自装置の変位を検出すると、前記変位の前記画面の位置する平面における成分の方向が第１の方向であると特定し、
前記特定モジュールは、さらに、
画面において目標コンテンツが表示され、且つ、コンテンツ縮小・拡大機能をオンした状態で、自装置の変位を検出すると、前記変位の画面に垂直する成分の方向が第２の方向であると特定し、
前記処理モジュールは、さらに
前記第２の方向に基づいて、前記目標コンテンツを縮小・拡大して表示する。
【００２１】
選択的に、前記特定モジュールは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定し、
前記処理モジュールは、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する。
【００２２】
選択的に、前記処理モジュールは、
前記第２の方向が前記画面の正方向であると、前記目標コンテンツを拡大し、
前記第２の方向が前記画面の反対方向であると、前記目標コンテンツを縮小する。
【００２３】
選択的に、前記コンテンツ表示装置は、さらに、
画面に表示されている前記目標コンテンツの完全な寸法が画面の寸法を超えたことを検出すると、自装置の変位を検出するためのセンサを起動させるための起動モジュールを含む。
【００２４】
本発明の実施例の第３の局面によれば、コンテンツ表示装置を提供し、前記コンテンツ表示装置は、
プロセッサと、
プロセッサにより実行可能な指令を記憶するためのメモリと、を含み、
前記プロセッサは、
装置の画面に目標コンテンツが表示されている状態で、自装置の変位を検出すると、変位の方向を特定し、
前記変位の方向に基づいて、前記目標コンテンツを前記画面において並進運動させる。
【００２５】
本発明の実施例に係る技術案は、以下の有益な効果を有する。
【００２６】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示することができる。これにより、閲覧方式を簡素化し、操作の柔軟性を向上させることができる。
【００２７】
以上の一般的な記述及び以下の詳細な記述は、例示のものに過ぎず、本開示を限定するものではないと理解すべきである。
【図面の簡単な説明】
【００２８】
ここでの図面は、明細書の一部分として明細書全体を構成することにより、本開示に合致する実施例を例示するとともに、明細書を結合し本開示の原理を解釈するためのものである。
【図１】例示的な実施例におけるコンテンツ表示方法を示すフローチャートである。
【図２】例示的な実施例における画面表示を模式的に示す図である。
【図３】例示的な実施例における画面表示を模式的に示す図である。
【図４】例示的な実施例におけるコンテンツ表示装置を模式的に示す図である。
【図５】例示的な実施例における端末の構造を模式的に示す図である。
【００２９】
本発明について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３０】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３１】
実施例１
本発明の実施例は、コンテンツ表示方法を提供する。図１に示すように、当該コンテンツ表示方法の処理フローは、以下のステップを含む。
【００３２】
ステップ１０１において、装置の画面に目標コンテンツが表示されている状態で、自装置の変位を検出すると、変位の方向を特定する。
【００３３】
ステップ１０２において、当該変位の方向に基づいて、目標コンテンツを画面において並進運動させる。
【００３４】
本発明の実施例において、装置の画面に目標コンテンツが表示されている状態で、自装置の変位を検出すると、変位の方向を特定し、当該変位の方向に基づいて、目標コンテンツを画面で並進運動させる。このようにして、モバイル端末を移動させることによって、画面において目標コンテンツの異なる区域を表示できる。これにより、閲覧方式を簡素化し、操作の柔軟性を向上させることができる。
【００３５】
実施例２
本発明の実施例は、イメージ表示方法を提供し、当該イメージ表示方法は、端末に用いられ、例えば、携帯電話、タブレットＰＣ等のモバイル端末に用いられる。目標コンテンツは、イメージやドキュメント等の表示可能なコンテンツである。本実施例において、技術案について、実施本体が携帯電話で、目標コンテンツがイメージであることを例に挙げて詳細に説明し、他の場面も類似するため、本実施例では詳しく説明しない。
【００３６】
以下、実施の形態を組合わせて、図１に示す処理フローについて詳細に説明する。
【００３７】
ステップ１０１において、装置の画面に目標コンテンツが表示されている状態で、自装置の変位を検出すると、変位の方向を特定する。
【００３８】
ここで、目標コンテンツの寸法は、画面の寸法を超えてもかまわず、例えば、目標コンテンツがパノラマ撮影によって撮られた写真、拡大して表示される写真、又はドキュメントであってもよい。
【００３９】
実施例において、ユーザは、端末にイメージを閲覧するためのアプリケーションをインストールすることができ、ユーザがあるイメージ（即ち、目標コンテンツ）を閲覧しようとする場合、当該アプリケーションを起動させ、アプリケーションにより提供されるイメージリストにおいて、イメージに対応するアイコンをタップすることによって、イメージを端末の画面に表示させることができる。当該イメージの寸法は、画面の寸法を超えてもかまわず、この場合、画面においてイメージの一部を表示できる。ユーザがイメージの画面に表示される部分を変更しようとする場合、端末を移動し、端末が対応するセンサ（例えば、ジャイロスコープ、加速度センサ等）から送信された信号を検出し、自端末が変位したことを特定することができる。このとき、端末は、さらに、変位の方向を特定することができる。例えば、ユーザは、端末において１枚のパノラマ写真を閲覧する場合、右へ端末を移動すると、端末自身が変位したことを検出すると共に、変位の方向を右方向であると特定できる。
【００４０】
選択的に、端末は、変位が画面の位置する平面における成分の方向だけを特定することができ、相応的に、ステップ１０１の処理フローは、画面においてイメージが表示されている状態で、自装置の変位を検出すると、当該変位が画面の位置する平面における成分の方向を第１の方向とするようになる。
【００４１】
実施例において、ユーザによる端末の移動方向は、任意の方向であってもよく、必ずしも画面の平面内で移動することに限らず、例えば、端末が画面の右前へ移動する。端末は、自身の変位を検出した後、センサの信号に応じて、変位が画面の位置する平面における成分の方向を特定できる。例えば、上記のユーザが端末を持って画面の右前へ移動する場合、端末は、自身の変位を検出した後、当該変位が画面の位置する平面における成分の方向を右方向であると特定できる。
【００４２】
選択的に、さらに、変位が画面の位置する平面における成分の距離を取得でき、相応的に、ステップ１０１の処理フローは、装置の画面に目標コンテンツが表示されている状態で、自装置の変位を検出すると、当該変位が画面の位置する平面における成分の方向が第１の方向であると特定し、当該変位が画面の位置する平面における成分の距離が第１の距離であると特定するようになる。
【００４３】
実施例において、端末は、自身の変位を検出した後、当該変位が画面の位置する平面における成分の方向、及び当該変位が画面の位置する平面における成分の距離を特定できる。例えば、ユーザが端末を持って画面の右前へ４５度で１．４１４ｃｍ移動した場合、端末は、自身の変位を検出した後、当該変位が画面の位置する平面における成分の方向が右方向であり、当該変位が画面の位置する平面における成分の距離が１ｃｍであると特定できる。
【００４４】
選択的に、自装置の変位を検出する前に、端末は、自身の変位を検出するためのセンサを起動させることができる。端末は、寸法が比較的大きな画像を表示する場合、センサを起動させて自装置の変位を検出することができ、相応的に、ステップ１０１の前に、さらに、画面に表示される目標コンテンツの完全な寸法が画面の寸法を超えたことを検出すると、自装置の変位を検出するためのセンサを起動させるような処理を行うことができる。
【００４５】
実施例において、端末は、画面にイメージが表示されていることを検出すると、イメージの完全な寸法を検出して、画面の寸法に比べて、イメージの完全な寸法が画面の寸法より大きい場合、センサ（例えば、ジャイロスコープ、加速度センサ等）を起動させることによって、自装置の変位情報を検出し、イメージの完全な寸法が画面の寸法より小さい場合、センサのオフ状態を維持することができる。例えば、ユーザが端末において１枚のイメージを開く場合、端末は、デフォルト寸法で当該イメージを表示し、当該イメージのデフォルト寸法が画面の寸法を超えないと検出すると、センサのオフ状態を維持する。この場合、ユーザがイメージを拡大して表示すると、端末は、当該イメージの拡大された後の完全な寸法を検出し、拡大された後のイメージの完全な寸法が画面の寸法を超えたことを検出すると、センサをオンにすることができる。このような方法によれば、端末の電気消費量を低減できる。
【００４６】
選択的に、端末は、例えば、コンテンツ並進運動機能及びコンテンツ縮小・拡大表示機能のような様々な表示機能を提供できる。端末は、コンテンツ並進運動機能をオンした状態においてのみ、このフローの処理を行うことができ、相応的に、ステップ１０１の処理フローは、画面に目標コンテンツが表示され、且つ、コンテンツ並進運動機能をオンした状態で、自装置の変位を検出すると、当該変位の画面の位置する平面における成分の方向が第１の方向であると特定するようになる。
【００４７】
実施例において、上記のアプリケーションにおいて、コンテンツ並進運動機能及びコンテンツ縮小・拡大機能という２種の機能を設置し、この２種の機能をオンする方式を設置することができる。ここで、画面にタッチ信号がある場合、コンテンツ縮小・拡大機能をオンするように設定し、相応的に、画面にタッチ信号がない場合、コンテンツ並進運動機能をオンするように設定する。ユーザがイメージを並進運動しようとする場合、指が画面にタッチしないようにし、ことにより、端末が画面にタッチ信号がないと検出し、コンテンツ並進運動機能をオンし、ユーザが端末を持って並進運動する際に、端末が自装置の変位を検出した後、当該変位が画面の位置する平面における成分の方向を特定できる。例えば、ユーザが画面に接触せず、端末は、画面に対するタッチ信号を検出できず、コンテンツ並進運動機能をオンし、ユーザが端末を持って画面の右前へ並進運動すると、自装置の変位を検出した後、変位が画面の位置する平面における成分の方向が右であると特定できる。
【００４８】
ステップ１０２において、変位の方向に基づいて、目標コンテンツを画面において並進運動させる。
【００４９】
実施例において、変位の方向を特定した後、端末は、予め設定された変位速度に従い、画面におけるイメージを変位の方向の反対方向へ並進運動させ、自装置の変位が停止することを検出すると、画面におけるイメージの並進運動を停止させる。
【００５０】
選択的に、変位が画面の位置する平面における成分の方向が第１の方向であると特定することに対して、相応的に、ステップ１０２の処理フローは、画面において、目標コンテンツを第１の方向の反対方向へ並進運動させるようになる。
【００５１】
実施例において、変位が画面の位置する平面における成分の方向が第１の方向であると特定した場合、端末は、画面におけるイメージを第１の方向の反対方向へ並進運動させる。例えば、図２に示すように、端末は、変位が画面の位置する平面における成分の方向が右方向であると特定した後、イメージを画面において左方向へ並進運動させる。
【００５２】
選択的に、並進運動処理の停止条件を設定することができ、相応的に、ステップ１０２の処理フローは、目標コンテンツの第１の方向における境界と画面の第１の方向における境界とが重なることを検出すると、目標コンテンツを並進運動させる処理を停止するようになる。
【００５３】
実施例において、変位が画面の位置する平面における成分の方向が第１の方向であると特定した後、端末は、イメージの第１の方向における境界と画面の第１の方向における境界とが重なるまで、第１の方向の反対方向へ画面におけるイメージを並進運動させる。例えば、端末の変位が画面の位置する平面における成分の方向が右方向である場合、端末は、イメージの右側の境界と画面の右側の境界とが重なるまで、イメージを画面において左方向へ並進運動させる。
【００５４】
選択的に、変位が画面の位置する平面における成分の距離が第１の距離であると特定することに対して、相応的に、ステップ１０２の処理フローは、第１の距離に基づいて、画面において、目標コンテンツを第１の方向の反対方向へ並進運動させるようになる。
【００５５】
実施例において、端末は、イメージの並進運動距離と第１の距離との線形関係（例えば、並進運動距離は第１の距離の１．５倍又は２倍等である）を設定することができる。端末は、変位が画面の位置する平面における成分の方向が第１の方向、変位が画面の位置する平面における成分の距離が第１の距離であると特定した後、イメージを第１の方向の反対方向へ並進運動させ、並進運動の距離とは、上記線形関係に従って第１の距離により得られた距離である。例えば、並進運動距離と第１の距離との線形関係が２：１である場合、端末は、変位が画面の位置する平面における成分の方向が右方向であり、変位が画面の位置する平面における成分の距離が１ｃｍであると特定した後、画面に表示されるイメージを左方向へ２ｃｍ並進運動させる。
【００５６】
本発明の実施例において、上記のコンテンツ並進運動機能に対応して、さらにコンテンツ縮小・拡大機能を設定することができ、相応的に、コンテンツ縮小・拡大機能をオンした状態で、端末の処理は、以下のようになる。
【００５７】
第１のステップにおいて、画面において目標コンテンツが表示され、且つ、コンテンツ縮小・拡大機能をオンした状態で、自装置の変位を検出すると、当該変位の画面に垂直する成分の方向が第２の方向であると特定する。
【００５８】
実施例において、上記のアプリケーションにおいて、コンテンツ並進運動機能及びコンテンツ縮小・拡大機能という２種の機能を設定し、この２種の機能をオンする方式を設置することができる。ここで、画面にタッチ信号がある場合、コンテンツ縮小・拡大機能をオンするように設定し、相応的に、画面にタッチ信号がない場合、コンテンツ並進運動機能をオンするように設定する。ユーザがイメージを縮小・拡大しようとする場合、指で画面をタッチすることによって、端末は、画面におけるタッチ信号を検出し、コンテンツ縮小・拡大機能をオンし、ユーザが端末を持って並進運動する場合、端末が自身の変位を検出した後、当該変位の画面に垂直する成分の方向を特定できる。例えば、ユーザが指で画面をタッチすると、端末は、画面に対するタッチ信号を検出でき、コンテンツ縮小・拡大機能をオンして、ユーザが端末を持って画面の右前へ並進運動する場合、自装置の変位を検出した後、変位の画面に垂直する成分の方向が画面の正方向であると特定できる。
【００５９】
選択的に、端末は、その変位の画面に垂直する成分の方向及び距離を組合わせて、如何にコンテンツを縮小・拡大するかを決める。相応的に、第１のステップの処理フローは、画面に目標コンテンツが表示され、且つ、コンテンツ縮小・拡大機能をオンした状態で、自装置の変位を検出すると、当該変位の画面に垂直する成分の方向が第２の方向であると特定すると共に、当該変位の画面に垂直する成分の距離が第２の距離であると特定するようになる。
【００６０】
実施例において、コンテンツ縮小・拡大機能をオンした状態で、端末は、自身の変位を検出した後、当該変位の画面に垂直する成分の方向（即ち、第２の方向）と当該変位の画面に垂直する成分の距離（即ち、第２の距離）を特定することができる。例えば、ユーザが端末を持って画面の右前へ４５度で１．４１４ｃｍ移動すると、端末は、自身の変位を検出した後、当該変位の画面に垂直する成分の方向が画面の正方向であり、当該変位の画面に垂直する成分の距離が１ｃｍであると特定することができる。
【００６１】
第２のステップにおいて、第２の方向に基づいて、目標コンテンツを縮小・拡大して表示する。
【００６２】
実施例において、図３に示すように、端末は、縮小・拡大処理を行った後の縮小・拡大比率を予め設定できる。コンテンツ縮小・拡大機能をオンした状態で、端末は、変位の画面に垂直する成分の方向が第２の方向であると特定した後、予め設定される縮小・拡大比率に従い、イメージを拡大処理又は縮小処理する。例えば、端末は、拡大されたイメージの寸法と元のイメージの寸法との比率が３：１、縮小されたイメージの寸法と元のイメージの寸法の比率が１：４であることを予め設定すると、第２の方向に基づいて、設定された縮小・拡大比率に従って、イメージを拡大又は縮小処理することができる。
【００６３】
選択的に、変位の画面に垂直する成分の方向が第２の方向であると特定することに対して、端末は、第２の方向と縮小・拡大処理との対応関係を設定することができ、相応的に、第２のステップの処理フローは、第２の方向が画面の正方向であると、目標コンテンツを拡大する一方、第２の方向が画面の反対方向であると、目標コンテンツを縮小するようになる。
【００６４】
選択的に、変位の画面に垂直する成分の距離が第２の距離であることに対して、相応的に、第２のステップの処理フローは、予め記憶された方向、距離と縮小・拡大比率との対応関係に応じて、第２の方向、第２の距離に対応する縮小・拡大比率を特定し、特定された縮小・拡大比率に応じて、目標コンテンツを縮小・拡大して表示する。
【００６５】
実施例において、端末は、方向、及び距離と縮小・拡大比率との対応関係を予め設定することができる。当該対応関係において、変位の画面に垂直する成分の方向が画面の正方向であると、距離と縮小・拡大比率との間に第１の線形関係がある。第１の線形関係は、例えば、変位の画面に垂直する成分の距離が１ｃｍ長くなる毎に、拡大係数が０．５増えるような関係であってもよい。上記対応関係において、変位の画面に垂直する成分の方向が画面の反対方向であると、距離と縮小・拡大比率との間に第２の線形関係がある。第２の線形関係は、例えば、変位の画面に垂直する成分の距離が１ｃｍ長くなる毎に、縮小係数が０．０１低減するような関係であってもよい。
【００６６】
端末は、変位の画面に垂直する成分の方向が第２の方向であると特定すると共に、変位の画面に垂直する成分の距離が第２の距離であると特定した後、第２の方向に対応する線形関係（第１の線形関係又は第２の線形関係）を特定でき、さらに、第２の距離及び対応する線形関係に基づいて、縮小・拡大比率を特定することができる。例えば、端末は、変位の画面に垂直する成分の方向が画面の正方向であると特定した後、当該方向の対応する線形関係が第１の線形関係であると特定し、この場合、変位の画面に垂直する成分の距離が１ｃｍであると、拡大係数が１．５であり、変位の画面に垂直する成分の距離が２ｃｍであると、拡大係数が２である。端末は、変位の画面に垂直する成分の方向が画面の反対方向であると特定した後、当該方向の対応する線形関係が第２の線形関係であると特定し、この場合、変位の画面に垂直する成分の距離が１ｃｍであると、縮小係数が０．９９であり、変位の画面に垂直する成分の距離が２ｃｍであると、縮小係数が０．９８である。
【００６７】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動させることによって、画面において目標コンテンツの異なる区域を表示することができる。これにより、閲覧方式を簡素化し、操作の柔軟性を向上させることができる。
【００６８】
実施例３
同一の技術の思想に基づいて、本発明の実施例は、さらに、コンテンツ表示装置を提供する。例えば、図４に示すように、当該コンテンツ表示装置は、
装置の画面に目標コンテンツが表示されている状態で、自装置の変位を検出すると、変位の方向を特定するための特定モジュール４１０と、
前記変位の方向に基づいて、前記目標コンテンツを前記画面において並進運動させるための処理モジュール４２０と、を含む。
【００６９】
選択的に、特定モジュール４１０は、
装置の画面に目標コンテンツが表示されている状態で、自装置の変位を検出すると、前記変位の前記画面の位置する平面における成分の方向が第１の方向であると特定する。
処理モジュール４２０は、
前記画面において、前記目標コンテンツを前記第１の方向の反対方向へ並進運動させる。
【００７０】
選択的に、処理モジュール４２０は、
前記目標コンテンツの前記第１の方向における境界と前記画面の前記第１の方向における境界とが重なると検出すると、前記目標コンテンツを並進運動させることを停止する。
【００７１】
選択的に、特定モジュール４１０は、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定する。
処理モジュール４２０は、
前記第１の距離に基づいて、前記画面において、前記目標コンテンツを前記第１の方向の反対方向へ並進運動させる。
【００７２】
選択的に、特定モジュール４１０は、
画面において目標コンテンツが表示され、且つ、コンテンツ並進運動機能をオンした状態で、自装置の変位を検出すると、前記変位の前記画面の位置する平面における成分の方向が第１の方向であると特定する。
特定モジュール４１０は、
画面において目標コンテンツが表示され、且つ、コンテンツ縮小・拡大機能をオンした状態で、自装置の変位を検出すると、前記変位の画面に垂直する成分の方向が第２の方向であると特定する。
処理モジュール４２０は、
前記第２の方向に基づいて、前記目標コンテンツを縮小・拡大して表示する。
【００７３】
選択的に、特定モジュール４１０は、
画面において目標コンテンツが表示され、且つ、コンテンツ並進運動機能をオンした状態で、自装置の変位を検出すると、前記変位の画面に垂直する成分の方向が第２の方向であると特定するとともに、前記変位の画面に垂直する成分の距離が第２の距離であると特定する。
処理モジュール４２０は、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する。
【００７４】
選択的に、処理モジュール４２０は、
前記第２の方向が前記画面の正方向であると、前記目標コンテンツを拡大する一方、
前記第２の方向が前記画面の反対方向であると、前記目標コンテンツを縮小する。
【００７５】
選択的に、前記コンテンツ表示装置は、さらに、
画面に表示されている前記目標コンテンツの完全な寸法が画面の寸法を超えたことを検出すると、自装置の変位を検出するためのセンサを起動させるための起動モジュールを含む。
【００７６】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示できる。これにより、閲覧方式を簡素化し、操作の柔軟性を向上させることができる。
【００７７】
上記実施例におけるコンテンツ表示装置において、各モジュールが操作を実行する詳細は、既に該当するコンテンツ表示方法の実施例において説明されたため、ここで、詳細に説明しない。
【００７８】
説明すべきは、上記の実施例に係るコンテンツ表示装置がコンテンツを表示する際に、上記各機能モジュールを分割して例に挙げて説明したが、実際に応用する場合、必要に応じて、上記機能を異なる功能モジュールに割り当て、即ち、コンテンツ表示装置の内部構造を異なる機能モジュールに分割し、上記すべて或いは一部の機能を実現する。また、上記実施例に係るコンテンツ表示装置及びコンテンツ表示方法の実施例は、同一の発明思想に属し、具体的な実現プロセスがコンテンツ表示方法の実施例を参照し、ここで説明を省略する。
【００７９】
実施例４
本発明の実施例は、さらに、端末の構造の模式的な図を示す。当該端末は、携帯電話等であってもよい。
【００８０】
図５を参照して、端末８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００８１】
プロセスアセンブリ８０２は、一般的には端末８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８２】
メモリ８０４は、各種類のデータを記憶することにより端末８００の操作を支援するように構成される。これらのデータの例は、端末８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００８３】
電源アセンブリ８０６は、端末８００の多様なアセンブリに電力を供給する。電源アセンブリ８０６は、電源管理システム、一つ以上の電源、及び端末８００のための電力の生成、管理及び割り当てに関連する他のアセンブリを含んでもよい。
【００８４】
マルチメディアアセンブリ８０８は、前記端末８００とユーザの間に一つの出力インターフェイスを提供する画面を含む。上記の実施例において、画面は液晶モニター（ＬＣＤ）とタッチパネル（ＴＰ）を含んでもよい。画面がタッチパネルを含むことにより、画面はタッチ画面を実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学縮小・拡大機能を有するものであってもよい。
【００８５】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００８６】
入出力インターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８７】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加スピードセンサ、ジャイロスコープセンサ、磁気センサ、圧力センサ、及び温度センサをさらに含んでもよい。
【００８８】
通信アセンブリ８１６は、端末８００と他の機器の間に有線、又は無線形態の通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【００８９】
例示的な実施例において、端末８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００９０】
例示的な実施例において、さらに、命令を含む非一時的なコンピュータで読み取り可能な記憶媒体、例えば命令を含むメモリ８０４を提供しており、端末８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【００９１】
非一時的なコンピュータで読み取り可能な記憶媒体は、当該記録媒体中の指令がコンテンツ表示装置のプロセッサによって実行される際に、コンテンツ表示装置にコンテンツ表示方法を実行させ、当該コンテンツ表示方法は、
装置の画面に目標コンテンツが表示されている状態で、自装置の変位を検出すると、変位の方向を特定するステップと、
前記変位の方向に基づいて、前記目標コンテンツを前記画面において並進運動させるステップとを含む。
【００９２】
選択的に、前記装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含む。
前記変位の方向に基づいて、前記目標コンテンツを前記画面において並進運動させるステップは、
前記画面において、前記目標コンテンツを前記第１の方向の反対方向へ並進運動させるステップを含む。
【００９３】
選択的に、前記コンテンツ表示方法は、さらに、
前記目標コンテンツの前記第１の方向における境界と前記画面の前記第１の方向における境界とが重なることを検出すると、前記目標コンテンツを並進運動させることを停止するステップを含む。
【００９４】
選択的に、前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含む。
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む。
【００９５】
選択的に、前記装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含む。
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む。
【００９６】
選択的に、前記画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含む。
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップとを含む。
【００９７】
選択的に、前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップとを含む。
【００９８】
選択的に、前記装置の画面に目標コンテンツが表示されている状態で、自装置の変位を検出すると、変位の方向を特定するステップの前に、さらに、
画面に表示されている前記目標コンテンツの完全な寸法が画面の寸法を超えたことを検出すると、自装置の変位を検出するためのセンサを起動させるステップを含む。
【００９９】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示する。これにより、閲覧方式を簡素化し、操作の柔軟性を向上させることができる。
【０１００】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１０１】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016539438.tif 000003
【図２】
2016539438.tif 000004
【図３】
2016539438.tif 000005
【図４】
2016539438.tif 000006
【図５】
2016539438.tif 000007
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
装置の画面に目標コンテンツが表示されている状態で、自装置の変位を検出すると、変位の方向を特定するステップと、
前記変位の方向に基づいて、前記目標コンテンツを前記画面において並進運動させるステップと、を含む
ことを特徴とするコンテンツ表示方法。
【請求項２】
装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含み、
前記変位の方向に基づいて、前記目標コンテンツを前記画面において並進運動させるステップは、
前記画面において、前記目標コンテンツを前記第１の方向の反対方向へ並進運動させるステップを含む
ことを特徴とする請求項１に記載の方法。
【請求項３】
さらに、
前記目標コンテンツの前記第１の方向における境界と前記画面の前記第１の方向における境界とが重なることを検出すると、前記目標コンテンツを並進運動させることを停止するステップを含む
ことを特徴とする請求項２に記載の方法。
【請求項４】
前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含み、
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む
ことを特徴とする請求項２に記載の方法。
【請求項５】
装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含み、
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む
ことを特徴とする請求項２に記載の方法。
【請求項６】
画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含み、
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップと、を含む
ことを特徴とする請求項５に記載の方法。
【請求項７】
前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップと、を含む
ことを特徴とする請求項５に記載の方法。
【請求項８】
前記装置の画面に目標コンテンツが表示されている状態で、自装置の変位を検出すると、変位の方向を特定するステップは、さらに、
画面に表示されている前記目標コンテンツの完全な寸法が画面の寸法を超えたことを検出すると、自装置の変位を検出するためのセンサを起動させるステップを含む
ことを特徴とする請求項１に記載の方法。
【請求項９】
装置の画面に目標コンテンツが表示されている状態で、自装置の変位を検出すると、変位の方向を特定するための特定モジュールと、
前記変位の方向に基づいて、前記目標コンテンツを前記画面において並進運動させるための処理モジュールと、を含む
ことを特徴とするコンテンツ表示装置。
【請求項１０】
前記特定モジュールは、
装置の画面に目標コンテンツが表示されている状態で、自装置の変位を検出すると、前記変位の前記画面の位置する平面における成分の方向が第１の方向であると特定し、
前記処理モジュールは、
前記画面において、前記目標コンテンツを前記第１の方向の反対方向へ並進運動させる
ことを特徴とする請求項９に記載の装置。
【請求項１１】
前記処理モジュールは、さらに、
前記目標コンテンツの前記第１の方向における境界と前記画面の前記第１の方向における境界とが重なることを検出すると、前記目標コンテンツを並進運動させることを停止する
ことを特徴とする請求項１０に記載の装置。
【請求項１２】
前記特定モジュールは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定し、
前記処理モジュールは、
前記第１の距離に基づいて、前記画面において、前記目標コンテンツを前記第１の方向の反対方向へ並進運動させる
ことを特徴とする請求項１０に記載の装置。
【請求項１３】
前記特定モジュールは、
画面において目標コンテンツが表示され、且つ、コンテンツ並進運動機能をオンした状態で、自装置の変位を検出すると、前記変位の前記画面の位置する平面における成分の方向が第１の方向であると特定し、
前記特定モジュールは、さらに、
画面において目標コンテンツが表示され、且つ、コンテンツ縮小・拡大機能をオンした状態で、自装置の変位を検出すると、前記変位の画面に垂直する成分の方向が第２の方向であると特定し、
前記処理モジュールは、さらに
前記第２の方向に基づいて、前記目標コンテンツを縮小・拡大して表示する
ことを特徴とする請求項１０に記載の装置。
【請求項１４】
前記特定モジュールは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定し、
前記処理モジュールは、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する
ことを特徴とする請求項１３に記載の装置。
【請求項１５】
前記処理モジュールは、
前記第２の方向が前記画面の正方向であると、前記目標コンテンツを拡大し、
前記第２の方向が前記画面の反対方向であると、前記目標コンテンツを縮小する
ことを特徴とする請求項１３に記載の装置。
【請求項１６】
さらに、
画面に表示されている前記目標コンテンツの完全な寸法が画面の寸法を超えたことを検出すると、自装置の変位を検出するためのセンサを起動させるための起動モジュールを含む
ことを特徴とする請求項９に記載の装置。
【請求項１７】
プロセッサと、
プロセッサにより実行可能な指令を記憶するためのメモリと、を含み、
前記プロセッサは、
装置の画面に目標コンテンツが表示されている状態で、自装置の変位を検出すると、変位の方向を特定し、
前記変位の方向に基づいて、前記目標コンテンツを前記画面において並進運動させる
ことを特徴とするコンテンツ表示装置。
【請求項１８】
プロセッサに実行されることにより、請求項１〜８のいずれか１項に記載のコンテンツ表示方法を実現することを特徴とするプログラム。
【請求項１９】
請求項１８に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０４２９４７１．４であって、出願日が２０１４年８月２７日である中国特許出願に基づき優先権を主張し、当該中国特許出願のすべての内容を本願に援用する。
【０００２】
本発明は、コンピュータ技術分野に関し、特に、コンテンツ表示方法、コンテンツ表示装置、プログラム及び記録媒体に関する。
【背景技術】
【０００３】
モバイル端末技術の発展に伴い、モバイル端末は、幅広く用いられつつあり、既に日常生活、仕事における最も重要なツールの１つとなっている。ユーザは、よくモバイル端末を用いて、例えば文字、イメージ及びビデオ等各種の情報を閲覧する。
【０００４】
モバイル端末は、イメージを表示する際に、例えば、パノラマ撮影によって撮られた写真、又は、拡大して表示されたイメージ等のイメージの実際の大きさは、画面表示の範囲を超える場合がある。ユーザがこのようなイメージを閲覧する場合、指で画面に対してスライド操作を行うことで、イメージを表示画面において並進運動させことができ、これにより、イメージの異なる部分（領域）を閲覧することができる。
【発明の概要】
【発明が解決しようとする課題】
【０００５】
本発明を実現する過程において、発明者は、従来技術には少なくとも以下の問題点があることを発見した。
【０００６】
イメージを閲覧する場合、ユーザは、指が画面に対するスライド操作でしかイメージの異なる部分を閲覧できず、閲覧方式が複雑であり、操作の柔軟性が悪い。
【課題を解決するための手段】
【０００７】
従来技術に存在する問題を解消するために、本発明は、コンテンツ表示方法、コンテンツ表示装置、プログラム及び記録媒体を提供する。前記技術方案は、以下のようである。
【０００８】
本発明の実施例の第１の局面によれば、コンテンツ表示方法を提供し、前記コンテンツ表示方法は、
装置の画面に目標コンテンツが表示されている状態で、自装置の変位を検出すると、変位の方向を特定するステップと、
前記変位の方向に基づいて、前記目標コンテンツを前記画面において並進運動させるステップと、を含む。
【０００９】
選択的に、装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含み、
前記変位の方向に基づいて、前記目標コンテンツを前記画面において並進運動させるステップは、
前記画面において、前記目標コンテンツを前記第１の方向の反対方向へ並進運動させるステップを含む。
【００１０】
選択的に、前記コンテンツ表示方法は、さらに、
前記目標コンテンツの前記第１の方向における境界と前記画面の前記第１の方向における境界とが重なることを検出すると、前記目標コンテンツを並進運動させることを停止するステップを含む。
【００１１】
選択的に、前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含み、
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む。
【００１２】
選択的に、装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含み、
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む。
【００１３】
選択的に、画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含み、
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップと、を含む。
【００１４】
選択的に、前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップと、を含む。
【００１５】
選択的に、前記装置の画面に目標コンテンツが表示されている状態で、自装置の変位を検出すると、変位の方向を特定するステップは、さらに、
画面に表示されている前記目標コンテンツの完全な寸法が画面の寸法を超えたことを検出すると、自装置の変位を検出するためのセンサを起動させるステップを含む。
【００１６】
本発明の実施例の第２の局面によれば、コンテンツ表示装置を提供し、前記コンテンツ表示装置は、
装置の画面に目標コンテンツが表示されている状態で、自装置の変位を検出すると、変位の方向を特定するための特定モジュールと、
前記変位の方向に基づいて、前記目標コンテンツを前記画面において並進運動させるための処理モジュールと、を含む。
【００１７】
選択的に、前記特定モジュールは、
装置の画面に目標コンテンツが表示されている状態で、自装置の変位を検出すると、前記変位の前記画面の位置する平面における成分の方向が第１の方向であると特定し、
前記処理モジュールは、
前記画面において、前記目標コンテンツを前記第１の方向の反対方向へ並進運動させる。
【００１８】
選択的に、前記処理モジュールは、さらに、
前記目標コンテンツの前記第１の方向における境界と前記画面の前記第１の方向における境界とが重なることを検出すると、前記目標コンテンツを並進運動させることを停止する。
【００１９】
選択的に、前記特定モジュールは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定し、
前記処理モジュールは、
前記第１の距離に基づいて、前記画面において、前記目標コンテンツを前記第１の方向の反対方向へ並進運動させる。
【００２０】
選択的に、前記特定モジュールは、
画面において目標コンテンツが表示され、且つ、コンテンツ並進運動機能をオンした状態で、自装置の変位を検出すると、前記変位の前記画面の位置する平面における成分の方向が第１の方向であると特定し、
前記特定モジュールは、さらに、
画面において目標コンテンツが表示され、且つ、コンテンツ縮小・拡大機能をオンした状態で、自装置の変位を検出すると、前記変位の画面に垂直する成分の方向が第２の方向であると特定し、
前記処理モジュールは、さらに
前記第２の方向に基づいて、前記目標コンテンツを縮小・拡大して表示する。
【００２１】
選択的に、前記特定モジュールは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定し、
前記処理モジュールは、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する。
【００２２】
選択的に、前記処理モジュールは、
前記第２の方向が前記画面の正方向であると、前記目標コンテンツを拡大し、
前記第２の方向が前記画面の反対方向であると、前記目標コンテンツを縮小する。
【００２３】
選択的に、前記コンテンツ表示装置は、さらに、
画面に表示されている前記目標コンテンツの完全な寸法が画面の寸法を超えたことを検出すると、自装置の変位を検出するためのセンサを起動させるための起動モジュールを含む。
【００２４】
本発明の実施例の第３の局面によれば、コンテンツ表示装置を提供し、前記コンテンツ表示装置は、
プロセッサと、
プロセッサにより実行可能な指令を記憶するためのメモリと、を含み、
前記プロセッサは、
装置の画面に目標コンテンツが表示されている状態で、自装置の変位を検出すると、変位の方向を特定し、
前記変位の方向に基づいて、前記目標コンテンツを前記画面において並進運動させる。
【００２５】
本発明の実施例の第４の方面によれば、プロセッサに実行されることにより、上記コンテンツ表示方法を実現するプログラムを提供する。
【００２６】
本発明の実施例の第５の方面によれば、上記プログラムを記録した記録媒体を提供する。
【００２７】
本発明の実施例に係る技術案は、以下の有益な効果を有する。
【００２８】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示することができる。これにより、閲覧方式を簡素化し、操作の柔軟性を向上させることができる。
【００２９】
以上の一般的な記述及び以下の詳細な記述は、例示のものに過ぎず、本開示を限定するものではないと理解すべきである。
【図面の簡単な説明】
【００３０】
ここでの図面は、明細書の一部分として明細書全体を構成することにより、本開示に合致する実施例を例示するとともに、明細書を結合し本開示の原理を解釈するためのものである。
【図１】例示的な実施例におけるコンテンツ表示方法を示すフローチャートである。
【図２】例示的な実施例における画面表示を模式的に示す図である。
【図３】例示的な実施例における画面表示を模式的に示す図である。
【図４】例示的な実施例におけるコンテンツ表示装置を模式的に示す図である。
【図５】例示的な実施例における端末の構造を模式的に示す図である。
【００３１】
本発明について、上記図面で明確な実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３２】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３３】
実施例１
本発明の実施例は、コンテンツ表示方法を提供する。図１に示すように、当該コンテンツ表示方法の処理フローは、以下のステップを含む。
【００３４】
ステップ１０１において、装置の画面に目標コンテンツが表示されている状態で、自装置の変位を検出すると、変位の方向を特定する。
【００３５】
ステップ１０２において、当該変位の方向に基づいて、目標コンテンツを画面において並進運動させる。
【００３６】
本発明の実施例において、装置の画面に目標コンテンツが表示されている状態で、自装置の変位を検出すると、変位の方向を特定し、当該変位の方向に基づいて、目標コンテンツを画面で並進運動させる。このようにして、モバイル端末を移動させることによって、画面において目標コンテンツの異なる区域を表示できる。これにより、閲覧方式を簡素化し、操作の柔軟性を向上させることができる。
【００３７】
実施例２
本発明の実施例は、イメージ表示方法を提供し、当該イメージ表示方法は、端末に用いられ、例えば、携帯電話、タブレットＰＣ等のモバイル端末に用いられる。目標コンテンツは、イメージやドキュメント等の表示可能なコンテンツである。本実施例において、技術案について、実施本体が携帯電話で、目標コンテンツがイメージであることを例に挙げて詳細に説明し、他の場面も類似するため、本実施例では詳しく説明しない。
【００３８】
以下、実施の形態を組合わせて、図１に示す処理フローについて詳細に説明する。
【００３９】
ステップ１０１において、装置の画面に目標コンテンツが表示されている状態で、自装置の変位を検出すると、変位の方向を特定する。
【００４０】
ここで、目標コンテンツの寸法は、画面の寸法を超えてもかまわず、例えば、目標コンテンツがパノラマ撮影によって撮られた写真、拡大して表示される写真、又はドキュメントであってもよい。
【００４１】
実施例において、ユーザは、端末にイメージを閲覧するためのアプリケーションをインストールすることができ、ユーザがあるイメージ（即ち、目標コンテンツ）を閲覧しようとする場合、当該アプリケーションを起動させ、アプリケーションにより提供されるイメージリストにおいて、イメージに対応するアイコンをタップすることによって、イメージを端末の画面に表示させることができる。当該イメージの寸法は、画面の寸法を超えてもかまわず、この場合、画面においてイメージの一部を表示できる。ユーザがイメージの画面に表示される部分を変更しようとする場合、端末を移動し、端末が対応するセンサ（例えば、ジャイロスコープ、加速度センサ等）から送信された信号を検出し、自端末が変位したことを特定することができる。このとき、端末は、さらに、変位の方向を特定することができる。例えば、ユーザは、端末において１枚のパノラマ写真を閲覧する場合、右へ端末を移動すると、端末自身が変位したことを検出すると共に、変位の方向を右方向であると特定できる。
【００４２】
選択的に、端末は、変位が画面の位置する平面における成分の方向だけを特定することができ、相応的に、ステップ１０１の処理フローは、画面においてイメージが表示されている状態で、自装置の変位を検出すると、当該変位が画面の位置する平面における成分の方向を第１の方向とするようになる。
【００４３】
実施例において、ユーザによる端末の移動方向は、任意の方向であってもよく、必ずしも画面の平面内で移動することに限らず、例えば、端末が画面の右前へ移動する。端末は、自身の変位を検出した後、センサの信号に応じて、変位が画面の位置する平面における成分の方向を特定できる。例えば、上記のユーザが端末を持って画面の右前へ移動する場合、端末は、自身の変位を検出した後、当該変位が画面の位置する平面における成分の方向を右方向であると特定できる。
【００４４】
選択的に、さらに、変位が画面の位置する平面における成分の距離を取得でき、相応的に、ステップ１０１の処理フローは、装置の画面に目標コンテンツが表示されている状態で、自装置の変位を検出すると、当該変位が画面の位置する平面における成分の方向が第１の方向であると特定し、当該変位が画面の位置する平面における成分の距離が第１の距離であると特定するようになる。
【００４５】
実施例において、端末は、自身の変位を検出した後、当該変位が画面の位置する平面における成分の方向、及び当該変位が画面の位置する平面における成分の距離を特定できる。例えば、ユーザが端末を持って画面の右前へ４５度で１．４１４ｃｍ移動した場合、端末は、自身の変位を検出した後、当該変位が画面の位置する平面における成分の方向が右方向であり、当該変位が画面の位置する平面における成分の距離が１ｃｍであると特定できる。
【００４６】
選択的に、自装置の変位を検出する前に、端末は、自身の変位を検出するためのセンサを起動させることができる。端末は、寸法が比較的大きな画像を表示する場合、センサを起動させて自装置の変位を検出することができ、相応的に、ステップ１０１の前に、さらに、画面に表示される目標コンテンツの完全な寸法が画面の寸法を超えたことを検出すると、自装置の変位を検出するためのセンサを起動させるような処理を行うことができる。
【００４７】
実施例において、端末は、画面にイメージが表示されていることを検出すると、イメージの完全な寸法を検出して、画面の寸法に比べて、イメージの完全な寸法が画面の寸法より大きい場合、センサ（例えば、ジャイロスコープ、加速度センサ等）を起動させることによって、自装置の変位情報を検出し、イメージの完全な寸法が画面の寸法より小さい場合、センサのオフ状態を維持することができる。例えば、ユーザが端末において１枚のイメージを開く場合、端末は、デフォルト寸法で当該イメージを表示し、当該イメージのデフォルト寸法が画面の寸法を超えないと検出すると、センサのオフ状態を維持する。この場合、ユーザがイメージを拡大して表示すると、端末は、当該イメージの拡大された後の完全な寸法を検出し、拡大された後のイメージの完全な寸法が画面の寸法を超えたことを検出すると、センサをオンにすることができる。このような方法によれば、端末の電気消費量を低減できる。
【００４８】
選択的に、端末は、例えば、コンテンツ並進運動機能及びコンテンツ縮小・拡大表示機能のような様々な表示機能を提供できる。端末は、コンテンツ並進運動機能をオンした状態においてのみ、このフローの処理を行うことができ、相応的に、ステップ１０１の処理フローは、画面に目標コンテンツが表示され、且つ、コンテンツ並進運動機能をオンした状態で、自装置の変位を検出すると、当該変位の画面の位置する平面における成分の方向が第１の方向であると特定するようになる。
【００４９】
実施例において、上記のアプリケーションにおいて、コンテンツ並進運動機能及びコンテンツ縮小・拡大機能という２種の機能を設置し、この２種の機能をオンする方式を設置することができる。ここで、画面にタッチ信号がある場合、コンテンツ縮小・拡大機能をオンするように設定し、相応的に、画面にタッチ信号がない場合、コンテンツ並進運動機能をオンするように設定する。ユーザがイメージを並進運動しようとする場合、指が画面にタッチしないようにし、ことにより、端末が画面にタッチ信号がないと検出し、コンテンツ並進運動機能をオンし、ユーザが端末を持って並進運動する際に、端末が自装置の変位を検出した後、当該変位が画面の位置する平面における成分の方向を特定できる。例えば、ユーザが画面に接触せず、端末は、画面に対するタッチ信号を検出できず、コンテンツ並進運動機能をオンし、ユーザが端末を持って画面の右前へ並進運動すると、自装置の変位を検出した後、変位が画面の位置する平面における成分の方向が右であると特定できる。
【００５０】
ステップ１０２において、変位の方向に基づいて、目標コンテンツを画面において並進運動させる。
【００５１】
実施例において、変位の方向を特定した後、端末は、予め設定された変位速度に従い、画面におけるイメージを変位の方向の反対方向へ並進運動させ、自装置の変位が停止することを検出すると、画面におけるイメージの並進運動を停止させる。
【００５２】
選択的に、変位が画面の位置する平面における成分の方向が第１の方向であると特定することに対して、相応的に、ステップ１０２の処理フローは、画面において、目標コンテンツを第１の方向の反対方向へ並進運動させるようになる。
【００５３】
実施例において、変位が画面の位置する平面における成分の方向が第１の方向であると特定した場合、端末は、画面におけるイメージを第１の方向の反対方向へ並進運動させる。例えば、図２に示すように、端末は、変位が画面の位置する平面における成分の方向が右方向であると特定した後、イメージを画面において左方向へ並進運動させる。
【００５４】
選択的に、並進運動処理の停止条件を設定することができ、相応的に、ステップ１０２の処理フローは、目標コンテンツの第１の方向における境界と画面の第１の方向における境界とが重なることを検出すると、目標コンテンツを並進運動させる処理を停止するようになる。
【００５５】
実施例において、変位が画面の位置する平面における成分の方向が第１の方向であると特定した後、端末は、イメージの第１の方向における境界と画面の第１の方向における境界とが重なるまで、第１の方向の反対方向へ画面におけるイメージを並進運動させる。例えば、端末の変位が画面の位置する平面における成分の方向が右方向である場合、端末は、イメージの右側の境界と画面の右側の境界とが重なるまで、イメージを画面において左方向へ並進運動させる。
【００５６】
選択的に、変位が画面の位置する平面における成分の距離が第１の距離であると特定することに対して、相応的に、ステップ１０２の処理フローは、第１の距離に基づいて、画面において、目標コンテンツを第１の方向の反対方向へ並進運動させるようになる。
【００５７】
実施例において、端末は、イメージの並進運動距離と第１の距離との線形関係（例えば、並進運動距離は第１の距離の１．５倍又は２倍等である）を設定することができる。端末は、変位が画面の位置する平面における成分の方向が第１の方向、変位が画面の位置する平面における成分の距離が第１の距離であると特定した後、イメージを第１の方向の反対方向へ並進運動させ、並進運動の距離とは、上記線形関係に従って第１の距離により得られた距離である。例えば、並進運動距離と第１の距離との線形関係が２：１である場合、端末は、変位が画面の位置する平面における成分の方向が右方向であり、変位が画面の位置する平面における成分の距離が１ｃｍであると特定した後、画面に表示されるイメージを左方向へ２ｃｍ並進運動させる。
【００５８】
本発明の実施例において、上記のコンテンツ並進運動機能に対応して、さらにコンテンツ縮小・拡大機能を設定することができ、相応的に、コンテンツ縮小・拡大機能をオンした状態で、端末の処理は、以下のようになる。
【００５９】
第１のステップにおいて、画面において目標コンテンツが表示され、且つ、コンテンツ縮小・拡大機能をオンした状態で、自装置の変位を検出すると、当該変位の画面に垂直する成分の方向が第２の方向であると特定する。
【００６０】
実施例において、上記のアプリケーションにおいて、コンテンツ並進運動機能及びコンテンツ縮小・拡大機能という２種の機能を設定し、この２種の機能をオンする方式を設置することができる。ここで、画面にタッチ信号がある場合、コンテンツ縮小・拡大機能をオンするように設定し、相応的に、画面にタッチ信号がない場合、コンテンツ並進運動機能をオンするように設定する。ユーザがイメージを縮小・拡大しようとする場合、指で画面をタッチすることによって、端末は、画面におけるタッチ信号を検出し、コンテンツ縮小・拡大機能をオンし、ユーザが端末を持って並進運動する場合、端末が自身の変位を検出した後、当該変位の画面に垂直する成分の方向を特定できる。例えば、ユーザが指で画面をタッチすると、端末は、画面に対するタッチ信号を検出でき、コンテンツ縮小・拡大機能をオンして、ユーザが端末を持って画面の右前へ並進運動する場合、自装置の変位を検出した後、変位の画面に垂直する成分の方向が画面の正方向であると特定できる。
【００６１】
選択的に、端末は、その変位の画面に垂直する成分の方向及び距離を組合わせて、如何にコンテンツを縮小・拡大するかを決める。相応的に、第１のステップの処理フローは、画面に目標コンテンツが表示され、且つ、コンテンツ縮小・拡大機能をオンした状態で、自装置の変位を検出すると、当該変位の画面に垂直する成分の方向が第２の方向であると特定すると共に、当該変位の画面に垂直する成分の距離が第２の距離であると特定するようになる。
【００６２】
実施例において、コンテンツ縮小・拡大機能をオンした状態で、端末は、自身の変位を検出した後、当該変位の画面に垂直する成分の方向（即ち、第２の方向）と当該変位の画面に垂直する成分の距離（即ち、第２の距離）を特定することができる。例えば、ユーザが端末を持って画面の右前へ４５度で１．４１４ｃｍ移動すると、端末は、自身の変位を検出した後、当該変位の画面に垂直する成分の方向が画面の正方向であり、当該変位の画面に垂直する成分の距離が１ｃｍであると特定することができる。
【００６３】
第２のステップにおいて、第２の方向に基づいて、目標コンテンツを縮小・拡大して表示する。
【００６４】
実施例において、図３に示すように、端末は、縮小・拡大処理を行った後の縮小・拡大比率を予め設定できる。コンテンツ縮小・拡大機能をオンした状態で、端末は、変位の画面に垂直する成分の方向が第２の方向であると特定した後、予め設定される縮小・拡大比率に従い、イメージを拡大処理又は縮小処理する。例えば、端末は、拡大されたイメージの寸法と元のイメージの寸法との比率が３：１、縮小されたイメージの寸法と元のイメージの寸法の比率が１：４であることを予め設定すると、第２の方向に基づいて、設定された縮小・拡大比率に従って、イメージを拡大又は縮小処理することができる。
【００６５】
選択的に、変位の画面に垂直する成分の方向が第２の方向であると特定することに対して、端末は、第２の方向と縮小・拡大処理との対応関係を設定することができ、相応的に、第２のステップの処理フローは、第２の方向が画面の正方向であると、目標コンテンツを拡大する一方、第２の方向が画面の反対方向であると、目標コンテンツを縮小するようになる。
【００６６】
選択的に、変位の画面に垂直する成分の距離が第２の距離であることに対して、相応的に、第２のステップの処理フローは、予め記憶された方向、距離と縮小・拡大比率との対応関係に応じて、第２の方向、第２の距離に対応する縮小・拡大比率を特定し、特定された縮小・拡大比率に応じて、目標コンテンツを縮小・拡大して表示する。
【００６７】
実施例において、端末は、方向、及び距離と縮小・拡大比率との対応関係を予め設定することができる。当該対応関係において、変位の画面に垂直する成分の方向が画面の正方向であると、距離と縮小・拡大比率との間に第１の線形関係がある。第１の線形関係は、例えば、変位の画面に垂直する成分の距離が１ｃｍ長くなる毎に、拡大係数が０．５増えるような関係であってもよい。上記対応関係において、変位の画面に垂直する成分の方向が画面の反対方向であると、距離と縮小・拡大比率との間に第２の線形関係がある。第２の線形関係は、例えば、変位の画面に垂直する成分の距離が１ｃｍ長くなる毎に、縮小係数が０．０１低減するような関係であってもよい。
【００６８】
端末は、変位の画面に垂直する成分の方向が第２の方向であると特定すると共に、変位の画面に垂直する成分の距離が第２の距離であると特定した後、第２の方向に対応する線形関係（第１の線形関係又は第２の線形関係）を特定でき、さらに、第２の距離及び対応する線形関係に基づいて、縮小・拡大比率を特定することができる。例えば、端末は、変位の画面に垂直する成分の方向が画面の正方向であると特定した後、当該方向の対応する線形関係が第１の線形関係であると特定し、この場合、変位の画面に垂直する成分の距離が１ｃｍであると、拡大係数が１．５であり、変位の画面に垂直する成分の距離が２ｃｍであると、拡大係数が２である。端末は、変位の画面に垂直する成分の方向が画面の反対方向であると特定した後、当該方向の対応する線形関係が第２の線形関係であると特定し、この場合、変位の画面に垂直する成分の距離が１ｃｍであると、縮小係数が０．９９であり、変位の画面に垂直する成分の距離が２ｃｍであると、縮小係数が０．９８である。
【００６９】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動させることによって、画面において目標コンテンツの異なる区域を表示することができる。これにより、閲覧方式を簡素化し、操作の柔軟性を向上させることができる。
【００７０】
実施例３
同一の技術の思想に基づいて、本発明の実施例は、さらに、コンテンツ表示装置を提供する。例えば、図４に示すように、当該コンテンツ表示装置は、
装置の画面に目標コンテンツが表示されている状態で、自装置の変位を検出すると、変位の方向を特定するための特定モジュール４１０と、
前記変位の方向に基づいて、前記目標コンテンツを前記画面において並進運動させるための処理モジュール４２０と、を含む。
【００７１】
選択的に、特定モジュール４１０は、
装置の画面に目標コンテンツが表示されている状態で、自装置の変位を検出すると、前記変位の前記画面の位置する平面における成分の方向が第１の方向であると特定する。
処理モジュール４２０は、
前記画面において、前記目標コンテンツを前記第１の方向の反対方向へ並進運動させる。
【００７２】
選択的に、処理モジュール４２０は、
前記目標コンテンツの前記第１の方向における境界と前記画面の前記第１の方向における境界とが重なると検出すると、前記目標コンテンツを並進運動させることを停止する。
【００７３】
選択的に、特定モジュール４１０は、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定する。
処理モジュール４２０は、
前記第１の距離に基づいて、前記画面において、前記目標コンテンツを前記第１の方向の反対方向へ並進運動させる。
【００７４】
選択的に、特定モジュール４１０は、
画面において目標コンテンツが表示され、且つ、コンテンツ並進運動機能をオンした状態で、自装置の変位を検出すると、前記変位の前記画面の位置する平面における成分の方向が第１の方向であると特定する。
特定モジュール４１０は、
画面において目標コンテンツが表示され、且つ、コンテンツ縮小・拡大機能をオンした状態で、自装置の変位を検出すると、前記変位の画面に垂直する成分の方向が第２の方向であると特定する。
処理モジュール４２０は、
前記第２の方向に基づいて、前記目標コンテンツを縮小・拡大して表示する。
【００７５】
選択的に、特定モジュール４１０は、
画面において目標コンテンツが表示され、且つ、コンテンツ並進運動機能をオンした状態で、自装置の変位を検出すると、前記変位の画面に垂直する成分の方向が第２の方向であると特定するとともに、前記変位の画面に垂直する成分の距離が第２の距離であると特定する。
処理モジュール４２０は、
予め記憶された方向、距離と縮小・拡大比率との対応関係に基づいて、前記第２の方向、前記第２の距離に対応する縮小・拡大比率を特定し、
特定された縮小・拡大比率に基づいて、前記目標コンテンツを縮小・拡大して表示する。
【００７６】
選択的に、処理モジュール４２０は、
前記第２の方向が前記画面の正方向であると、前記目標コンテンツを拡大する一方、
前記第２の方向が前記画面の反対方向であると、前記目標コンテンツを縮小する。
【００７７】
選択的に、前記コンテンツ表示装置は、さらに、
画面に表示されている前記目標コンテンツの完全な寸法が画面の寸法を超えたことを検出すると、自装置の変位を検出するためのセンサを起動させるための起動モジュールを含む。
【００７８】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示できる。これにより、閲覧方式を簡素化し、操作の柔軟性を向上させることができる。
【００７９】
上記実施例におけるコンテンツ表示装置において、各モジュールが操作を実行する詳細は、既に該当するコンテンツ表示方法の実施例において説明されたため、ここで、詳細に説明しない。
【００８０】
説明すべきは、上記の実施例に係るコンテンツ表示装置がコンテンツを表示する際に、上記各機能モジュールを分割して例に挙げて説明したが、実際に応用する場合、必要に応じて、上記機能を異なる功能モジュールに割り当て、即ち、コンテンツ表示装置の内部構造を異なる機能モジュールに分割し、上記すべて或いは一部の機能を実現する。また、上記実施例に係るコンテンツ表示装置及びコンテンツ表示方法の実施例は、同一の発明思想に属し、具体的な実現プロセスがコンテンツ表示方法の実施例を参照し、ここで説明を省略する。
【００８１】
実施例４
本発明の実施例は、さらに、端末の構造の模式的な図を示す。当該端末は、携帯電話等であってもよい。
【００８２】
図５を参照して、端末８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００８３】
プロセスアセンブリ８０２は、一般的には端末８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８４】
メモリ８０４は、各種類のデータを記憶することにより端末８００の操作を支援するように構成される。これらのデータの例は、端末８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００８５】
電源アセンブリ８０６は、端末８００の多様なアセンブリに電力を供給する。電源アセンブリ８０６は、電源管理システム、一つ以上の電源、及び端末８００のための電力の生成、管理及び割り当てに関連する他のアセンブリを含んでもよい。
【００８６】
マルチメディアアセンブリ８０８は、前記端末８００とユーザの間に一つの出力インターフェイスを提供する画面を含む。上記の実施例において、画面は液晶モニター（ＬＣＤ）とタッチパネル（ＴＰ）を含んでもよい。画面がタッチパネルを含むことにより、画面はタッチ画面を実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学縮小・拡大機能を有するものであってもよい。
【００８７】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００８８】
入出力インターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８９】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加スピードセンサ、ジャイロスコープセンサ、磁気センサ、圧力センサ、及び温度センサをさらに含んでもよい。
【００９０】
通信アセンブリ８１６は、端末８００と他の機器の間に有線、又は無線形態の通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【００９１】
例示的な実施例において、端末８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００９２】
例示的な実施例において、さらに、命令を含む非一時的なコンピュータで読み取り可能な記憶媒体、例えば命令を含むメモリ８０４を提供しており、端末８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【００９３】
非一時的なコンピュータで読み取り可能な記憶媒体は、当該記録媒体中の指令がコンテンツ表示装置のプロセッサによって実行される際に、コンテンツ表示装置にコンテンツ表示方法を実行させ、当該コンテンツ表示方法は、
装置の画面に目標コンテンツが表示されている状態で、自装置の変位を検出すると、変位の方向を特定するステップと、
前記変位の方向に基づいて、前記目標コンテンツを前記画面において並進運動させるステップとを含む。
【００９４】
選択的に、前記装置の画面に目標コンテンツが表示されている状態で、自装置の変位を検出すると、変位の方向を特定するステップは、
装置の画面に目標コンテンツが表示されている状態で、自装置の変位を検出すると、前記変位の前記画面の位置する平面における成分の方向が第１の方向であると特定するステップを含む。
前記変位の方向に基づいて、前記目標コンテンツを前記画面において並進運動させるステップは、
前記画面において、前記目標コンテンツを前記第１の方向の反対方向へ並進運動させるステップを含む。
【００９５】
選択的に、前記コンテンツ表示方法は、さらに、
前記目標コンテンツの前記第１の方向における境界と前記画面の前記第１の方向における境界とが重なることを検出すると、前記目標コンテンツを並進運動させることを停止するステップを含む。
【００９６】
選択的に、前記装置の画面に目標コンテンツが表示されている状態で、自装置の変位を検出すると、前記変位の前記画面の位置する平面における成分の方向が第１の方向であると特定するステップは、
装置の画面に目標コンテンツが表示されている状態で、自装置の変位を検出すると、前記変位の前記画面の位置する平面における成分の方向が第１の方向であると特定すると共に、前記変位の前記画面の位置する平面における成分の距離が第１の距離であると特定するステップを含む。
前記画面において、前記目標コンテンツを前記第１の方向の反対方向へ並進運動させるステップは、
前記第１の距離に基づいて、前記画面において、前記目標コンテンツを前記第１の方向の反対方向へ並進運動させるステップを含む。
【００９７】
選択的に、前記装置の画面に目標コンテンツが表示されている状態で、自装置の変位を検出すると、前記変位の前記画面の位置する平面における成分の方向が第１の方向であると特定するステップは、
画面において目標コンテンツが表示され、且つ、コンテンツ並進運動機能をオンした状態で、自装置の変位を検出すると、前記変位の前記画面の位置する平面における成分の方向が第１の方向であると特定するステップを含む。
前記コンテンツ表示方法は、さらに、
画面において目標コンテンツが表示され、且つ、コンテンツ縮小・拡大機能をオンした状態で、自装置の変位を検出すると、前記変位の画面に垂直する成分の方向が第２の方向であると特定するステップと、
前記第２の方向に基づいて、前記目標コンテンツを縮小・拡大して表示するステップと、を含む。
【００９８】
選択的に、前記画面において目標コンテンツが表示され、且つ、コンテンツ縮小・拡大機能をオンした状態で、自装置の変位を検出すると、前記変位の画面に垂直する成分の方向が第２の方向であると特定するステップは、
画面において目標コンテンツが表示され、且つ、コンテンツ縮小・拡大機能をオンした状態で、自装置の変位を検出すると、前記変位の画面に垂直する成分の方向が第２の方向であると特定すると共に、前記変位の画面に垂直する成分の距離が第２の距離であると特定するステップを含む。
前記第２の方向に基づいて、前記目標コンテンツを縮小・拡大して表示するステップは、
予め記憶された方向、距離と縮小・拡大比率との対応関係に基づいて、前記第２の方向、前記第２の距離に対応する縮小・拡大比率を特定するステップと、
特定された縮小・拡大比率に基づいて、前記目標コンテンツを縮小・拡大して表示するステップとを含む。
【００９９】
選択的に、前記第２の方向に基づいて、前記目標コンテンツを縮小・拡大して表示するステップは、
前記第２の方向が前記画面の正方向であると、前記目標コンテンツを拡大するステップと、
前記第２の方向が前記画面の反対方向であると、前記目標コンテンツを縮小するステップとを含む。
【０１００】
選択的に、前記装置の画面に目標コンテンツが表示されている状態で、自装置の変位を検出すると、変位の方向を特定するステップの前に、さらに、
画面に表示されている前記目標コンテンツの完全な寸法が画面の寸法を超えたことを検出すると、自装置の変位を検出するためのセンサを起動させるステップを含む。
【０１０１】
本発明の実施例において、装置の画面に目標コンテンツが表示されている状態で、自装置の変位を検出すると、変位の方向を特定し、当該変位の方向に基づいて、目標コンテンツを画面において並進運動させる。このようにして、モバイル端末を移動することによって、画面において目標コンテンツの異なる区域を表示する。これにより、閲覧方式を簡素化し、操作の柔軟性を向上させることができる。
【０１０２】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１０３】
本発明は、上記において開示された構成又は図面に示した構造に限定されるものではなく、本発明の範囲内であれば、様々な補正又は変更を行うことができる。本発明の範囲は、特許請求の範囲により制限される。
【国際調査報告】
2016539438.tif 000008
2016539438.tif 000009
2016539438.tif 000010
2016539438.tif 000011